(57)【要約】【課題】所望の電子ドキュメントの取得処理を含むドキュメント処理システムおよび方法を提供する。【解決手段】先ず、スクリプトで記述されたコマンドを含む電子ドキュメントが受信される。次に、受信された電子ドキュメントからスクリプト記述コマンドが解析される。次に、受信された電子ドキュメントに含まれるスクリプト記述コマンドの解析にしたがって、少なくとも１つの電子ドキュメントが関連するデータ記憶装置から取得される。その後、受信された電子ドキュメントから解析されたスクリプト記述コマンドにしたがって、取得されたそれぞれの電子ドキュメントについて、少なくとも１つのドキュメント処理動作が実行される。【選択図】図５
2009184349.tif 000002
【特許請求の範囲】
【請求項１】
スクリプトで記述されたコマンドを受信する手段と、
受信されたスクリプトで記述されたコマンドを解析する解析手段と、
この解析手段によるスクリプトで記述されたコマンドの解析結果にしたがって、関連するストレージから少なくとも１つの電子ドキュメントを取得する取得手段と、
解析されたコマンドにしたがって、前記取得された電子ドキュメントに対して少なくとも１つのドキュメント処理動作を実行する手段と
を備えることを特徴とするスクリプト言語ベースのドキュメント処理システム。
【請求項２】
前記スクリプトで記述されたコマンドは検索基準を含み、
前記取得手段は、前記検索基準との比較にしたがって前記少なくとも１つの電子ドキュメントを取得することを特徴とする請求項１に記載のスクリプト言語ベースのドキュメント処理システム。
【請求項３】
前記スクリプトで記述されたコマンドは、関連するドキュメント処理装置を設定するための設定データを含むことを特徴とする請求項１に記載のスクリプト言語ベースのドキュメント処理システム。
【請求項４】
前記システムは、
前記受信されたスクリプトで記述されたコマンドに含まれるエラーについてテストするテスト手段と、
前記取得手段を、前記テスト手段の出力にしたがって選択的に動作させる手段と
を、さらに、備えることを特徴とする請求項１に記載のスクリプト言語ベースのドキュメント処理システム。
【請求項５】
前記解析手段によって解析された前記コマンドは、印刷、またはコピー、または光学文字認識、またはファクシミリ送信、または電子メール送信のドキュメント処理動作を実行するためのインストラクションを含むことを特徴とする請求項１に記載のスクリプト言語ベースのドキュメント処理システム。
【請求項６】
前記スクリプトで記述されたコマンドは、ドキュメント画像走査動作に関連付けされる画像走査テンプレートを作成するためのコマンドを含むことを特徴とする請求項１に記載のスクリプト言語ベースのドキュメント処理システム。
【請求項７】
スクリプトで記述されたコマンドを受信するステップと、
受信されたスクリプトで記述されたコマンドを解析するステップと、
スクリプトで記述されたコマンドの解析結果にしたがって、関連するストレージから少なくとも１つの電子ドキュメントを取得するステップと、
解析されたコマンドにしたがって、前記取得された電子ドキュメントに対して少なくとも１つのドキュメント処理動作を実行するステップと
を含むことを特徴とするスクリプト言語ベースのドキュメント処理方法。
【請求項８】
前記スクリプトで記述されたコマンドは検索基準を含み、
前記少なくとも１つの電子ドキュメントを取得するステップは、前記検索基準との比較にしたがって実行されることを特徴とする請求項７に記載のスクリプト言語ベースのドキュメント処理方法。
【請求項９】
前記スクリプトで記述されたコマンドは、関連するドキュメント処理装置を設定するための設定データを含むことを特徴とする請求項７に記載のスクリプト言語ベースのドキュメント処理方法。
【請求項１０】
前記方法は、
前記受信されたスクリプトで記述されたコマンドに含まれるエラーについてテストするテスト・ステップと、
このテスト・ステップにおけるテストの出力にしたがって選択的に少なくとも１つの電子ドキュメントを前記関連するストレージから取得するステップと、
を、さらに、含むことを特徴とする請求項７に記載のスクリプト言語ベースのドキュメント処理方法。
【請求項１１】
前記解析されたコマンドは、印刷、またはコピー、または光学文字認識、またはファクシミリ送信、または電子メール送信のドキュメント処理動作を実行するためのインストラクションを含むことを特徴とする請求項７に記載のスクリプト言語ベースのドキュメント処理方法。
【請求項１２】
前記スクリプトで記述されたコマンドは、ドキュメント画像走査動作に関連付けされる画像走査テンプレートを作成するためのコマンドを含むことを特徴とする請求項７に記載のスクリプト言語ベースのドキュメント処理方法。
【発明の詳細な説明】
【技術分野】
【０００１】
本発明は、ドキュメント処理システムおよび方法に関し、特に、スクリプト言語ベースのドキュメント処理システムおよび方法に関する。
【背景技術】
【０００２】
ドキュメント処理装置は、印刷、画像走査、電子メール送信、またはコピー等の機能を含む。最近では、これらの装置が備える機能の複数を含み、多機能周辺またはＭＦＰと呼ばれる装置がある。多くのドキュメント処理装置は複数のユーザの間で共用され、比較的複雑な装置に関連する装置コストおよびメンテナンス・コストにおける節約を可能にしている。
【０００３】
ドキュメント処理装置は、通常、Ethernet（登録商標）またはトークン・リング等の有線接続を介するか、またはワイファイ（WiFi）またはワイマックス（WiMax）接続等の無線接続を介するかのいずれかのネットワークを介して共用される。典型的なネットワーク・ドキュメント処理システムは、電子ドキュメントの作成または取得、および印刷またはファクシミリ伝送等の処理のために、作成または取得された電子ドキュメントをドキュメント処理装置にルーティングするために使用されるネットワークに接続されたワークステーションを備える。
【０００４】
複数のドキュメントに対する処理動作が所望されるときは、ユーザは、ローカルに、またはネットワーク・サーバ等のドキュメント・リポジトリを介して、それぞれのドキュメントを取得し、次にそれぞれのドキュメントを、実行を所望する動作のためのインストラクションとともに、処理装置に伝達する操作を行う必要がある。このような操作は習熟を要し、かつ煩雑である問題点があった。
【発明の開示】
【発明が解決しようとする課題】
【０００５】
本発明は、上記の従来の問題点に鑑みてなされたもので、所望の電子ドキュメントの取得処理を含むドキュメント処理システムおよび方法を提供することを目的とする。
【課題を解決するための手段】
【０００６】
本発明によるスクリプト言語ベースのドキュメント処理システムは、スクリプトで記述されたコマンドを受信する手段と、受信されたスクリプトで記述されたコマンドを解析する解析手段とを備える。システムは、また、解析手段によるスクリプトで記述されたコマンドの解析結果にしたがって、関連するストレージから少なくとも１つの電子ドキュメントを取得する取得手段と、解析されたコマンドにしたがって取得された電子ドキュメントに対して少なくとも１つのドキュメント処理動作を実行する手段とを備える。
【０００７】
本発明の一実施形態においては、スクリプトで記述されたコマンドは検索基準を含み、取得手段は検索基準との比較にしたがって少なくとも１つの電子ドキュメントを取得する。
【０００８】
本発明の別の実施形態においては、スクリプトで記述されたコマンドは、関連するドキュメント処理装置を設定するための設定データを含む。
【０００９】
本発明の追加の実施形態においては、システムは、受信されたスクリプトで記述されたコマンドに含まれるエラーについてテストするテスト手段と、取得手段をテスト手段の出力にしたがって選択的に動作させる手段とを、さらに、備える。
【００１０】
さらに別の実施形態においては、解析されたコマンドが、印刷、またはコピー、または光学文字認識、またはファクシミリ送信、または電子メール送信のドキュメント処理動作を実行するためのインストラクションを含む。
【００１１】
本発明の別の実施形態においては、スクリプトで記述されたコマンドが、ドキュメント画像走査動作に関連付けされる画像走査テンプレートを作成するためのコマンドを含む。
【００１２】
また、本発明によるスクリプト言語ベースのドキュメント処理方法は、スクリプトで記述されたコマンドを受信するステップと、受信されたスクリプトで記述されたコマンドを解析するステップと、スクリプトで記述されたコマンドの解析結果にしたがって関連するストレージから少なくとも１つの電子ドキュメントを取得するステップと、解析されたコマンドにしたがって、取得された電子ドキュメントに対して少なくとも１つのドキュメント処理動作を実行するステップとを含む。
【発明の効果】
【００１３】
本発明によれば、スクリプトで記述されたコマンドを用いた、所望の電子ドキュメントの取得処理を含むドキュメント処理システムおよび方法が提供される。
【発明を実施するための最良の形態】
【００１４】
以下、適宜、図面を参照しながら本発明による実施形態の説明を行う。図１は本発明による実施形態が適用されるスクリプト言語ベースのドキュメント処理システム全体の構成例である。図に示したシステム１００は、コンピュータ・ネットワーク１０２として表されている分散コンピューティング環境を利用している。コンピュータ・ネットワーク１０２は、複数の電子装置間におけるデータの交換を可能とする本技術分野で知られている任意の分散通信システムである。コンピュータ・ネットワーク１０２は、例えば、仮想ローカル・エリア・ネットワーク、ワイド・エリア・ネットワーク、パーソナル・エリア・ネットワーク、ローカル・エリア・ネットワーク、インターネット、イントラネット、またはそれらの任意の組み合わせを含む本技術分野で知られている任意のコンピュータ・ネットワークである。本発明による一実施形態において、コンピュータ・ネットワーク１０２は、例えば、トークン・リング、IEEE802.11(x)、Ethernet（登録商標）またはその他の無線ベースまたは有線ベースのデータ通信メカニズム等の既存の多数のデータ転送メカニズムによって例示されるような物理レイヤおよびトランスポート・レイヤから構成される。尚、図にコンピュータ・ネットワーク１０２を示したが、本発明は、本技術分野で知られているようなスタンドアローンの形態でも同様に実施可能である。
【００１５】
システム１００は、さらに、様々なドキュメント処理を実行するために適切な多機能周辺装置（Multi-Function Peripheral；以下、ＭＦＰということがある。）として図に表されている、少なくとも１つのドキュメント処理装置１０４を含む。しかし、ＭＦＰはドキュメント処理装置の一形態であって、本発明におけるドキュメント処理装置がＭＦＰに限定されるものではない。ドキュメント処理装置における処理動作には、例えば、ファクシミリ通信、画像走査、コピー、印刷、電子メール、ドキュメント管理またはドキュメント保存等がある。本発明による一形態においては、ドキュメント処理装置１０４は、リモート・ドキュメント処理サービスを外部装置あるいはネットワークに接続された装置に対して提供する。ドキュメント処理装置１０４は、ユーザあるいはネットワークに接続された装置等とやり取りするように構成された、ハードウェア、ソフトウェアおよびこれらの任意の適切な組み合わせを含む。
【００１６】
また、本発明による一実施形態において、ドキュメント処理装置１０４は、例えば、IEEE 1394あるいはＵＳＢインターフェイスを有する各種ドライブ、多様なＩＣメモリカード等の、複数のポータブル記憶媒体を受け入れるためのインターフェイスを備える。本発明の実施形態においては、ドキュメント処理装置１０４は、さらに、タッチスクリーン、ＬＣＤ、タッチパネルまたは英数字キーパッド等のユーザ・インターフェイス１０６を備え、ユーザは、このようなユーザ・インターフェイスを介してドキュメント処理装置１０４と直接やり取りすることができる。本発明による実施形態において、ユーザ・インターフェイス１０６は、ユーザに対して情報を伝達するとともに、ユーザから選択内容を受け取るために有効に用いられる。ユーザ・インターフェイス１０６は、本技術分野で知られているように、ユーザにデータを提供するために適切な種々のコンポーネントからなる。本発明における一実施形態においては、ユーザ・インターフェイス１０６は、１つまたは複数のグラフィック要素、テキスト・データまたは画像等をユーザに表示し、ユーザから入力を受け取り、その入力を、さらに後で詳しく説明するコントローラ１０８等のバックエンド・コンポーネントに伝達するディスプレイ装置を有する。ドキュメント処理装置１０４は、適切な通信リンク１１２を介して、コンピュータ・ネットワーク１０２に通信可能に接続されている。適切な通信リンク１１２としては、例えば、WiMax（Worldwide Interoperability for Microwave Access）、IEEE802.11a、IEEE802.11b、IEEE802.11g、IEEE802.11(x)、Bluetooth（登録商標）、公衆交換電話網、専用通信ネットワーク、赤外線接続、光接続、または本技術分野において知られている他の適切な有線または無線のデータ通信チャネルがある。
【００１７】
本発明による実施形態において、ドキュメント処理装置１０４は、さらに、ドキュメント処理装置１０４による処理動作を容易にする、コントローラ１０８として示した、適切なバックエンド・コンポーネントを内蔵する。コントローラ１０８は、ドキュメント処理装置１０４の動作を制御し、あるいはユーザ・インターフェイス１０６を介した画像の表示を制御し、電子画像データの操作を指示する等のために構成された、ハードウェア、ソフトウェアあるいはこれらの適切な組み合わせによって実装される。以下の説明においては、コントローラ１０８という用語は、後に述べる動作を実行し、もしくは実行させ、もしくは制御し、またはその他の指示を行うように機能するハードウェア、ソフトウェア、またはこれらの組み合わせを含むドキュメント処理装置１０４と関連する任意の多数のコンポーネントの意味で、使用する。なお、図および上記の説明において、コントローラ１０８をドキュメント処理装置１０４に内蔵された形態としたが、コントローラ１０８は、ドキュメント処理装置１０４に通信可能に接続された外部装置の形態であってもよい。コントローラ１０８との関連において説明を行う処理動作は、本技術分野において知られている任意の汎用的なコンピューティング・システムによって実行可能である。したがって、コントローラ１０８は、このような汎用的なコンピューティング装置を表しており、以下の説明において使用する際にも、そのように意図されている。さらに、以下におけるコントローラ１０８の使用は、例としての実施形態にすぎず、当業者には明らかな他の実施形態も、本発明の一実施形態によるスクリプト言語ベースのドキュメント処理システムおよび方法を用いることができる。コントローラ１０８の構成等については、後ほど図２および図３を参照しながら説明を行う。
【００１８】
また、ドキュメント処理装置１０４にはデータ記憶装置１１０が通信可能に接続されている。データ記憶装置１１０は、例えば、ハードディスク・ドライブ、その他の磁気記憶装置、光学式記憶装置、フラッシュ・メモリまたはそれらの任意の組み合わせを含む本技術分野で知られている大容量記憶装置である。一実施形態において、データ記憶装置１１０は、ドキュメント・データ、テンプレート・データ、画像データまたは電子データベースのデータ等を保存するように適切に適合されている。データ記憶装置１１０は、図においてはシステム１００の独立したコンポーネントとして例示されているが、例えば、内蔵ハードディスク・ドライブ等のような、ドキュメント処理装置１０４の内部記憶装置、あるいはコントローラ１０８のコンポーネント等として実装することができる。
【００１９】
システム１００は、さらに、通信リンク１１６を介してコンピュータ・ネットワーク１０２とデータ通信可能な、ユーザ装置１１４を含む。図においてはユーザ装置１１４をコンピュータ・ワークステーションとして示しているが、これは例示にすぎない。ユーザ装置１１４は、例えば、ノート形パーソナル・コンピュータ、デスクトップ形パーソナル・コンピュータ、ＰＤＡ（Personal Digital Assistant、携帯情報端末）、ウェブ適合携帯電話、スマート・フォン、専用通信ネットワーク用の電子装置、またはその他のウェブ適合電子装置を含む、本技術分野において知られている任意のパーソナル・コンピューティング装置を表す。通信リンク１１６としては、例えば、Bluetooth（登録商標）、WiMax、IEEE802.11a、IEEE802.11b、IEEE802.11g、IEEE802.11(x)、専用通信ネットワーク、赤外線接続、光接続、公衆交換電話網、または、本技術分野において知られている他の適切な有線または無線のデータ通信チャネルを用いることができる。ユーザ装置１１４は、電子ドキュメント、ドキュメント処理インストラクション、高級言語スクリプト・コマンド、ユーザ・インターフェイスの修正、アップグレード、更新、またはパーソナル化データ等を生成し、生成したデータ等を、ドキュメント処理装置１０４あるいはコンピュータ・ネットワーク１０２に接続された他の類似装置に送る。ユーザ装置１１４の構成については、後ほど図４を参照しながら説明を行う。
【００２０】
システム１００は、通信リンク１２２を介してコンピュータ・ネットワーク１０２と通信可能なドキュメント管理サーバ１１８および関連するデータ記憶装置１２０によって示したドキュメント管理システムをも含む。ドキュメント管理サーバ１１８は、１つまたは複数のサービス、ウェブ・ベースのアプリケーションおよびストレージ・オプション等をネットワークに接続された装置に提供するために適切なハードウェア、ソフトウェア、およびこれらの組み合わせを含む。本発明の一実施形態によれば、ドキュメント管理サーバ１１８は、コンピュータ・ネットワーク１０２を介してアクセスされる、電子ドキュメントの保存、ドキュメントの検索およびドキュメントの取得等を管理するための、ハードウェア、ソフトウェア、またはこれらの組み合わせとして実装される種々のコンポーネントを含む。通信リンク１２２は、無線通信に限定されず、例えば、Bluetooth（登録商標）、WiMax、IEEE802.11a、IEEE802.11b、IEEE802.11g、IEEE802.11(x)、専用通信ネットワーク、赤外線接続、光接続、公衆交換電話網、または本技術分野において知られている他の適切な無線または有線のデータ通信チャネルである。以下でドキュメント管理サーバ１１８に関連して述べる、電子ドキュメントを管理するコンポーネントは、コンピュータ・ネットワーク１０２に接続され、かつドキュメント管理システムとして機能する任意のコンピューティング装置に実装することができる。
【００２１】
ドキュメント管理サーバ１１８にはデータ記憶装置１２０が通信可能に接続されている。データ記憶装置１２０は、例えば、ハードディスク・ドライブ、その他の磁気記憶装置、光学式記憶装置、フラッシュ・メモリまたはそれらの任意の組み合わせを含む本技術分野で知られている大容量記憶装置である。一実施形態において、データ記憶装置１２０は、ソフトウェアの更新、更新リスト、電子データベースのデータ、ドキュメント・データ、または画像データ等を保存するように適切に適合されている。データ記憶装置１２０は、図においてはシステム１００の独立したコンポーネントとして例示されているが、例えば、内蔵ハードディスク・ドライブ等のような、ドキュメント管理サーバ１１８の内部記憶装置等として実装することができる。
【００２２】
次に、図２および図３を参照しながら、本発明による実施形態におけるシステムの動作が実行されるコントローラのハードウェアおよび機能構成等を説明する。図２に本発明による実施形態においてシステム１００の動作が実行されるバックエンド・コンポーネント、すなわち、図１においてはコントローラ１０８として示したコントローラ２００のハードウェア・アーキテクチャの構成例を説明するための図を示す。尚、図においては、コントローラの構成要素の意義をより明確にするため、参照符号２３２で示した、コントローラ以外のドキュメント処理装置の構成要素の一部を併せて示している。コントローラ１０８は、本明細書に記載する動作を円滑に実行する能力を有する、本技術分野において知られている任意の汎用的なコンピューティング装置を表す。コントローラ２００には、少なくとも１つのＣＰＵを含むプロセッサ２０２が含まれる。プロセッサ２０２は、互いに協調して動作する複数のＣＰＵから構成されることもある。また、コントローラ２００には、ＢＩＯＳ機能、システム機能、システム構成データおよびコントローラ２００の動作に使用する他のルーチンもしくはデータ等の静的または固定的なデータ、あるいはインストラクションのために有効に使用される、不揮発性または読出し専用メモリ（ＲＯＭ）２０４が含まれる。
【００２３】
また、コントローラ２００には、ダイナミック・ランダム・アクセス・メモリ、スタティック・ランダム・アクセス・メモリ、または他の任意の適切なアドレス指定可能かつ書込み可能なメモリ・システムから構成されるＲＡＭ２０６が含まれる。ＲＡＭ２０６は、プロセッサ２０２により処理されるアプリケーションおよびデータ処理に関係するデータ・インストラクションのための記憶領域を提供する。
【００２４】
ストレージ・インターフェイス２０８は、コントローラ２００に関連するデータの不揮発性保存、大容量保存または長期的な保存のためのメカニズムを提供する。ストレージ・インターフェイス２０８は、参照符号２１６で示したディスク・ドライブ、あるいは光学式ドライブ、テープ・ドライブ等の適切な任意のアドレス指定可能、またはシリアル記憶装置等の大容量記憶装置の他、当業者に知られている適切な任意の記憶媒体を使用する。
【００２５】
ネットワーク・インターフェイス・サブシステム２１０は、ネットワークとの間の入出力を適切にルーティングすることによって、コントローラ２００が他の装置と通信することを可能にする。ネットワーク・インターフェイス・サブシステム２１０は、コントローラ２００に対する外部装置との１つまたは複数のコネクションのインターフェイスを適切にとる。図においては、例えば、Ethernet（登録商標）およびトークン・リング等の固定または有線ネットワークとのデータ通信のための少なくとも１つのネットワーク・インターフェイス・カード２１４、およびWiFi（Wireless Fidelity）、WiMax、無線モデム、セルラ・ネットワークまたは適切な任意の無線通信システム等の手段を介した無線通信のために適切な無線インターフェイス２１８を示している。ネットワーク・インターフェイス・サブシステム２１０は、任意の物理的データ転送レイヤあるいは物理的データ転送レイヤではないデータ転送レイヤまたはプロトコル・レイヤを適切に利用する。図においては、ネットワーク・インターフェイス・カード２１４は、例えば、ローカル・エリア・ネットワーク、ワイド・エリア・ネットワークまたはそれらの組合せから適切に構成される物理的ネットワーク２２０を介したデータ交換を行うために、相互接続されている。
【００２６】
プロセッサ２０２、読出し専用メモリ（ＲＯＭ）２０４、ＲＡＭ２０６、ストレージ・インターフェイス２０８およびネットワーク・インターフェイス・サブシステム２１０の間のデータ通信は、バス２１２によって例示したバス・データ転送メカニズムを介して行われる。
【００２７】
また、ドキュメント・プロセッサ・インターフェイス２２２もバス２１２を介してデータ通信を行う。ドキュメント・プロセッサ・インターフェイス２２２は、様々なドキュメント処理動作を実行するために、ドキュメント処理ハードウェア２３２との接続を提供する。そのようなドキュメント処理動作には、コピー・ハードウェア２２４によって実行されるコピー、画像走査ハードウェア２２６によって実行される画像走査、印刷ハードウェア２２８によって実行される印刷、およびファクシミリ・ハードウェア２３０によって実行されるファクシミリ通信がある。コントローラ２００は、これらのドキュメント処理動作のいずれかまたは全部を適切に動作させる。複数のドキュメント処理動作を実行可能なシステムは、前述したように、ＭＦＰ（多機能周辺装置）または多機能装置と呼ばれる。システム１００の機能は、ドキュメント処理装置と関連するインテリジェント・サブシステムとして図２に示したコントローラ２００（図１におけるコントローラ１０８に対応）を含む、ドキュメント処理装置１０４等の適切なドキュメント処理装置において実行される。
【００２８】
次に図３を参照しながらシステムの動作が実行されるコントローラの機能ブロックと動作の概要を説明する。図３に、本発明による実施形態のシステム１００の動作が実行されるコントローラの機能ブロックの構成例を説明するための図を示す。尚、図３においても、コントローラの機能要素の意義をより明確にするため、コントローラ以外のドキュメント処理装置の機能要素の一部を併せて示している。図３は、ソフトウェアおよびオペレーティング・システム機能と関連して、図２に示したハードウェアの機能性を例示している。
【００２９】
コントローラ機能はドキュメント処理エンジン３０２を含む。一実施形態において、ドキュメント処理エンジン３０２は、印刷動作、コピー動作、ファクシミリ通信動作および画像走査動作を可能にする。これらの機能は、産業界において一般に好まれるドキュメント処理周辺装置であるＭＦＰと関連付けられることが多い。しかし、コントローラが上記のドキュメント処理動作のすべてを可能にする必要は必ずしもない。コントローラは、上記のドキュメント処理動作のサブセットである、専用のドキュメント処理装置、あるいはより限定した目的のドキュメント処理装置においても有効に用いられる。
【００３０】
ドキュメント処理エンジン３０２はユーザ・インターフェイス・パネル３１０と適切にインターフェイスされており、ユーザまたは管理者は、このユーザ・インターフェイス・パネル３１０を介して、ドキュメント処理エンジン３０２によって制御される機能にアクセスすることができる。アクセスは、コントローラにローカル接続されたインターフェイスを介して行われるか、遠隔のシン・クライアント（thin client）またはシック・クライアント（thick client）によって遠隔から行われる。
【００３１】
ドキュメント処理エンジン３０２は、印刷機能部３０４、ファクシミリ通信機能部３０６および画像走査機能部３０８とデータ通信を行う。これらの機能部は、印刷、ファクシミリの送受信、およびドキュメント画像をコピーのために取得するか、またはドキュメント画像の電子バージョンを生成するための、ドキュメント画像走査の実際の処理動作を容易にする。
【００３２】
ジョブ・キュー（job queue）３１２は、印刷機能部３０４、ファクシミリ通信機能部３０６および画像走査機能部３０８とデータ通信を行う。ビットマップ・フォーマット、ページ記述言語（ＰＤＬ）フォーマットまたはベクター・フォーマット等の種々の画像形式は、画像走査機能部３０８からジョブ・キュー３１２を介して以降の処理のために中継される。
【００３３】
ジョブ・キュー３１２は、また、ネットワーク・サービス機能部３１４ともデータ通信を行う。一実施形態において、ジョブ制御信号、状態データまたは電子ドキュメント・データが、ジョブ・キュー３１２とネットワーク・サービス機能部３１４との間で交換される。このように、クライアント側ネットワーク・サービス機能３２０を介したコントローラ機能へのネットワーク・ベースのアクセスに適切なインターフェイスが提供され、このインターフェイスは任意の適切なシン・クライアントまたはシック・クライアントである。一実施形態において、ウェブ・サービス・アクセスは、ハイパーテキスト転送プロトコル（HTTP）、ファイル転送プロトコル（FTP）、ユニフォーム・データ・ダイアグラム・プロトコルまたは他の任意の適切な交換メカニズムによって実行される。ネットワーク・サービス機能部３１４は、また、ＦＴＰ、電子メールまたはテルネット（TELNET）等による通信のために、クライアント側ネットワーク・サービス機能３２０とのデータ交換も有効に提供する。このように、コントローラ機能は、種々のネットワーク・アクセス・メカニズムによって、電子ドキュメントおよびユーザ情報のやり取りを容易にする。
【００３４】
ジョブ・キュー３１２は、また、画像プロセッサ３１６ともデータ通信を行う。画像プロセッサ３１６は、印刷機能部３０４、ファクシミリ通信機能部３０６または画像走査機能部３０８等の装置機能部と、電子ドキュメントを交換するために適したフォーマットに変換するラスタ画像処理（ＲＩＰ）、ページ記述言語インタープリタまたは任意の適切な画像処理を行うメカニズムである。
【００３５】
さらに、ジョブ・キュー３１２はジョブ解析部（job parser）３１８とデータ通信を行い、このジョブ解析部３１８はクライアント装置サービス部３２２等の外部装置からの印刷ジョブ言語ファイルを受け取る働きをする。クライアント装置サービス部３２２は、電子ドキュメントの印刷、ファクシミリ通信、またはコントローラ機能による処理が有効である他の適切な電子ドキュメントの入力を含む。ジョブ解析部３１８は、受け取った電子ドキュメント・ファイルを解析し、前述した機能およびコンポーネントに関連する処理のために、解析した電子ドキュメント・ファイル情報をジョブ・キュー３１２に中継する働きをする。
【００３６】
次に、図４を参照しながら、本発明による実施形態におけるシステムの動作が実行される、図１においてはユーザ装置１１４として示した、ワークステーション４００のハードウェア構成を説明する。図４に本発明による実施形態におけるワークステーション４００のハードウェア・アーキテクチャの構成例を示す。ワークステーション４００は、不揮発性または読出し専用メモリ（ＲＯＭ）４０４、ＲＡＭ４０６、表示インターフェイス４０８、ストレージ・インターフェイス４１０、およびネットワーク・インターフェイス・サブシステム４１２とデータ通信可能に配置された少なくとも１つのＣＰＵから構成されるプロセッサ４０２を含む。プロセッサ４０２は、互いに協調して動作する複数のＣＰＵから構成されることもある。一実施形態においては、読出し専用メモリ（ＲＯＭ）４０４等の上記のモジュールへのインターフェイスは、バス４１４を介して、実行される。
【００３７】
読み出し専用メモリ（ＲＯＭ）４０４は、ＢＩＯＳ、システム機能、システム構成データおよびプロセッサ４０２によってワークステーション４００の動作に使用される他のルーチン等の、静的なデータまたは固定的なデータのようなファームウェアを保存する。
【００３８】
ＲＡＭ４０６は、プロセッサ４０２によって処理されるアプリケーションおよびデータ処理に関係するデータとインストラクションのための記憶領域を提供する。
【００３９】
表示インターフェイス４０８は、バス４１４に接続された他のコンポーネントからデータまたはインストラクションを受け取る。表示インターフェイス４０８が受け取るデータは、ユーザ・インターフェイスに有用な表示に関するデータである。表示インターフェイス４０８は、例えば、モニタ、ＬＣＤ、プラズマ・ディスプレイまたは他の適切な視覚出力装置等のビデオ表示装置である表示モニタ４２８に出力を供給する。
【００４０】
ストレージ・インターフェイス４１０は、ワークステーション４００に関連するデータまたはインストラクションの不揮発性保存、大容量保存または長期的な保存のためのメカニズムを提供する。ストレージ・インターフェイス４１０は、参照符号４１８で示したディスク・ドライブ、テープ・ドライブ、あるいは光学式ドライブ等の適切な任意のアドレス指定可能、またはシリアル記憶装置等の大容量記憶装置等の記憶メカニズムを使用する。
【００４１】
ネットワーク・インターフェイス・サブシステム４１２は、例えば、ネットワーク・インターフェイス・カード４２０として図示した少なくとも１つのネットワーク・インターフェイス、およびWiFi無線ネットワーク・カード等の無線インターフェイス４３０と通信を行う。ネットワーク・インターフェイス・サブシステム４１２は、物理レイヤとプロトコル・レイヤの両方から構成され、また、Ethernet（登録商標）、トークン・リング、他のワイド・エリア・ネットワークまたはローカル・エリア・ネットワーク通信システム等の任意の有線システム、あるいはWiFi、WiMax、または他の適切な無線ネットワーク通信システム等の無線システムを介して、ワークステーション４００が他の装置と通信することを可能にする。図においては、ネットワーク・インターフェイス・カード４２０は、例えば、ローカル・エリア・ネットワーク、ワイド・エリア・ネットワークまたはそれらの組合せから適切に構成される物理的ネットワーク４３２を介したデータ交換を行うために、相互接続されている。
【００４２】
バス４１４とデータ通信を行う入出力インターフェイス４１６は、キーボード等の入力装置４２２と接続されている。また、入出力インターフェイス４１６は、ＵＳＢインターフェイス、ＳＣＳＩインターフェイス、IEEE1394インターフェイス、あるいは特定の用途に適した任意の他のインターフェイス等の周辺装置インターフェイス４２４に、データ出力を供給する。さらに、入出力インターフェイス４１６は、マウス、ライト・ペン、タッチスクリーン等の装置と接続するためのポインティング・デバイス・インターフェイス４２６とデータ通信を行う。
【００４３】
次に、本発明における動作の概要を説明する。先ず、スクリプトで記述されたコマンド（以下、本明細書および図６において「スクリプト記述コマンド」ということがある。）を含む電子ドキュメントが受信される。次に、受信された電子ドキュメントからスクリプト記述コマンドが解析される。次に、受信された電子ドキュメントに含まれるスクリプト記述コマンドの解析にしたがって、少なくとも１つの電子ドキュメントが関連するデータ記憶装置から取得される。その後、受信された電子ドキュメントから解析されたスクリプト記述コマンドにしたがって、取得されたそれぞれの電子ドキュメントについて、少なくとも１つのドキュメント処理動作が実行される。
【００４４】
本発明の例示的な一実施形態においては、先ず、スクリプトで記述されたコマンドを含む電子ドキュメントがユーザ装置１１４によって生成される。例えば、ユーザ装置１１４のユーザが、ドキュメント処理装置１０４によって実行される所望の作用、検索、またはその他の動作に対応する高級スクリプティング言語ベースのドキュメントを含めて記述する。例えば、ユーザは、ドキュメント管理サーバ１１８からの複数の電子ドキュメントの検索および取得、例えば無線もしくはネットワークの設定または印刷オプション等のドキュメント処理装置１０４の設定、例えば画像走査テンプレートのようなテンプレートの作成、選択された電子ドキュメントに対する、例えば印刷、コピー、光学文字認識、ファクシミリ送信、電子メール送信、またはドキュメント処理装置１０４に実行させる他のタスク等の所望のドキュメント処理動作に対応するスクリプト記述コマンドを、電子ドキュメントに含ませることができる。
【００４５】
例えば、第４世代の言語のような高級スクリプト言語は、ドキュメント処理装置１０４等の複数の装置によって理解される。ユーザ装置１１４のユーザは、そのようなスクリプト言語を使用して、スクリプト記述コマンドを含む電子ドキュメントを作成する。例えば、ユーザが、ドキュメント管理サーバ１１８からドキュメントを取得し、取得したドキュメントをドキュメント処理装置１０４によって印刷することを所望する場合、次に示すスクリプト記述されたコマンドを電子ドキュメント内に生成することができる。
【００４６】
PRINT    print_list
[FROM from_list]
[WHERE conditions]
[GROUP BY group_list]
[ORDER BY order_list [ASC | DESC]]
[CONFIG config_list]
”print_list”は、印刷されるすべてのドキュメントのリストを記述する。本発明の一実施形態によれば、複数のドキュメントの取得は、カンマまたはセミコロン等によって、所望のそれぞれのドキュメントを分離することによって行うことができる。このような実施形態においては、アスタリスク等の記号を、カンマまたはセミコロン等を用いて分離された複数のフォルダを伴う、クエリに関係するフォルダのリストを示す”from_list”成分とともに、所定のフォルダ内のすべてのドキュメントを指定するために使用することができる。”conditions”は、例示的なドキュメント内において、１つまたは複数のフォルダから印刷されるドキュメントの数を制限するように働く表現に対応する。例えば、”WHERE author=“William Shakespeare”は、「ウィリアム・シェークスピア（William Shakespeare）」によって著作されたドキュメントのみに印刷を制限する条件であり、”WHERE date modified>=5/1/06 AND data modified<7/1/06”は、２００６年５月１日から２００６年７月１日の前日までに修正されたドキュメントのみに印刷を制限する条件であり、”WHERE “Company” は、データ記憶装置１２０にある”カンパニー（Company）”を含むドキュメントのみに印刷を制限する条件である。上記の条件を、例えば『ＯＲ』、『ＡＮＤ』および『ＮＯＴ』を用いて、例えば、”WHERE “Company” AND date modified>=5/1/06 AND data modified<7/1/06”というように結合することもできる。
【００４７】
本発明の一実施形態によれば、使用されるスクリプトのさらなる例は、ユーザによって規定されると、ドキュメント処理装置１０４が印刷に先行してドキュメントをグループ化する必要があることを指示する”group_list”である。例えば”WHERE author=“William Shakespeare” AND author=“T.S. Elliot”, GROUP BY author”は、ドキュメント処理装置１０４に、すべてのウィリアム・シェークスピア（William Shakespeare）のドキュメントを１つの出力として、すべてのＴ．Ｓ．エリオット（T. S. Elliot）のドキュメントを別な１つの出力として印刷する指示を表す。本発明の別の実施形態によれば、”config_list”スクリプトが規定された場合、このスクリプトは、ドキュメント処理装置１０４に対する、例えばコピーの数、ステープルまたは孔開け等のデフォルトの設定を、印刷、例えば”CONFIG staple=TRUE”に先行して上書きする指示を表す。以下に示す表１に、本発明の一実施形態にしたがって頻繁に使用されるスクリプトのいくつかの例をリストする。
【表１】
2009184349.tif 000003
【００４８】
以上、説明を行ったスクリプト記述コマンドを含む電子ドキュメントの生成に続いて、ユーザ装置１１４は、コンピュータ・ネットワーク１０２を介して、生成した電子ドキュメントをドキュメント処理装置１０４に伝達する。ユーザ装置１１４とドキュメント処理装置１０４との間の通信を、これら２つの装置間における無線接続または有線接続を介して、すなわちコンピュータ・ネットワーク１０２をバイパスして、行うことができる。次に、ドキュメント処理装置１０４はユーザ装置１１４から電子ドキュメントを受信し、受信した電子ドキュメントに含まれる任意のスクリプト記述されたコマンドを解析する。本発明の一実施形態によれば、コントローラ１０８またはドキュメント処理装置１０４に関連するその他の適切なコンポーネントは、受信された電子ドキュメントを解析してスクリプト記述されたコマンドが含まれることを判断し、コントローラ１０８またはドキュメント処理装置１０４に関連するその他の適切なコンポーネントが、ドキュメントからそれらのスクリプトの解析を行う。
【００４９】
次に、コントローラ１０８またはドキュメント処理装置１０４に関連するその他の適切なコンポーネントは、解析されたスクリプト記述コマンドをテストし、そのコマンド内にエラーが有るか否かを判断する。コントローラ１０８またはその他のその種のドキュメント処理装置１０４のコンポーネントが、１つまたは複数のエラーを検出した場合には、ユーザにエラーを知らせる通知がユーザ装置１１４に返される。
【００５０】
解析されたスクリプト記述コマンド内にエラーが検出されない場合には、コントローラ１０８またはドキュメント処理装置１０４に関連するその他の適切なコンポーネントは、スクリプト記述されたコマンドが、ドキュメント処理装置１０４の設定（configuration）に対する変更、更新または修正等を表す設定データを含むか否かを判断する。その種の設定データには、例えば、ネットワーク設定、無線設定およびドキュメント処理動作の設定等に関するスクリプト記述コマンドがある。スクリプト記述コマンドが設定データを含む場合は、コントローラ１０８またはドキュメント処理装置１０４に関連するその他の適切なコンポーネントが、その設定データをドキュメント処理装置１０４に実装する。
【００５１】
設定データの実装を完了するか、または電子ドキュメントから設定データを含むスクリプト記述コマンドが解析されなかった場合、コントローラ１０８またはドキュメント処理装置１０４に関連するその他の適切なコンポーネントは、次に、テンプレート作成に対応するスクリプト記述コマンドが、受信された電子ドキュメント内に含まれるか否かを判断する。例えば、ユーザは、ドキュメント処理装置１０４によって実行される画像走査動作に対応する画像走査テンプレートの作成を指示することができる。スクリプト記述されたコマンドの実行に続いて、コントローラ１０８またはその他のドキュメント処理装置１０４の適切なコンポーネントは、テンプレートを作成し、作成したテンプレートをデータ記憶装置１１０に保存する。
【００５２】
次に、コントローラ１０８またはその他のドキュメント処理装置１０４の適切なコンポーネントは、受信された電子ドキュメントから解析されたスクリプト記述コマンドの処理を続ける。したがって、さらなるスクリプト記述コマンドが残っていない場合には、処理が終了し、ドキュメント処理装置１０４は、ユーザから次に要求されるドキュメント処理動作の待機状態に戻る。コントローラ１０８またはその他のドキュメント処理装置１０４のコンポーネントが、解析したスクリプト記述コマンドの中にドキュメント処理に対応する１つまたは複数のスクリプト・コマンドが含まれると判断すると、前述した「条件」等の検索基準が受信し電子ドキュメントから解明される。次に、コントローラ１０８またはドキュメント処理装置１０４に関連するその他の適切なコンポーネントは、特定された検索基準をドキュメント管理サーバ１１８に、コンピュータ・ネットワーク１０２を介して、伝達する。
【００５３】
次に、ドキュメント管理サーバ１１８は、伝達された検索基準と、データ記憶装置１２０に保存されている電子ドキュメントとを比較し、検索基準に基づいた比較結果にしたがって、データ記憶装置１２０から１つまたは複数の電子ドキュメントを取得する。次に、取得された電子ドキュメントが、コンピュータ・ネットワーク１０２を介して、ドキュメント処理装置１０４に返される。次いで、伝達された電子ドキュメントがドキュメント処理装置１０４によって受信され、受信されたそれぞれの電子ドキュメントに関連付けられたドキュメント処理動作が、解析されたスクリプト記述コマンドにしたがって特定される。その後、ドキュメント処理装置１０４は、特定されたドキュメント処理動作をそれぞれの取得された電子ドキュメントに対して実行する。
【００５４】
以上、図１ないし図４を参照しながらシステム１００とその構成コンポーネントについて説明を行ったが、図５と図６を参照しながら行う以降の説明によって、理解がより深まるであろう。図５に、本発明による実施形態におけるスクリプト言語ベースのドキュメント処理の基本的な動作例を表すフローチャートを示す。先ず、Ｓ５０２で、ドキュメント処理装置１０４が、ユーザ装置１１４のユーザから、スクリプト記述されたコマンドを含む電子ドキュメントを受信する。次にＳ５０４で、コントローラ１０８またはドキュメント処理装置１０４に関連するその他の適切なコンポーネントが、受信された電子ドキュメントを解析し、電子ドキュメントの中に含まれるスクリプト記述されたコマンドを解明する。
【００５５】
次にＳ５０６において、受信された電子ドキュメントからのスクリプト記述されたコマンドの解析にしたがって、少なくとも１つの電子ドキュメントが関連するデータ記憶装置から取得される。本発明の一実施形態によれば、解析されたスクリプト記述コマンドに対応する電子ドキュメントが、コンピュータ・ネットワーク１０２を介して、ドキュメント管理サーバ１１８から取得される。次にＳ５０８において、ドキュメント処理装置１０４は、取得されたそれぞれの電子ドキュメントについて、解析されたスクリプト記述コマンドにしたがって少なくとも１つのドキュメント処理動作を実行する。
【００５６】
次に図６を参照しながら、本発明による実施形態におけるスクリプト言語ベースのドキュメント処理動作を詳細に説明する。図６に、本発明による実施形態におけるスクリプト言語ベースのドキュメント処理動作例を詳細に表したフローチャートを示す。先ず、Ｓ６０２で、ユーザ装置１１４が、ユーザとのやり取りを介して、スクリプトで記述されたコマンドを含む電子ドキュメントを生成する。電子ドキュメントの取得、ドキュメント処理動作、ドキュメント処理装置の設定、およびドキュメント処理動作のテンプレート等に対応する高級スクリプト言語ベースのコマンドは、ユーザによって入力される。Ｓ６０４においては、生成された電子ドキュメントが、コンピュータ・ネットワーク１０２を介して、ユーザ装置１１４からドキュメント処理装置１０４に伝達される。
【００５７】
次にＳ６０６で、コントローラ１０８またはドキュメント処理装置１０４に関連するその他の適切なコンポーネントが、伝達された電子ドキュメントを受信する。Ｓ６０８においては、受信された電子ドキュメントが、このドキュメントからスクリプト記述されたコマンドを解明するために、コントローラ１０８またはドキュメント処理装置１０４に関連するその他の適切なコンポーネントによって解析される。Ｓ６１０においては、受信された電子ドキュメントが、スクリプト記述コマンド内のエラーについてテストされる。すなわち、コントローラ１０８は、解析されたスクリプト記述コマンドをテストし、例えば、構文、コマンド、または非適合性等のエラーが存在するか否かを判定する。次にＳ６１２で、解析されたスクリプト記述コマンド内にエラーが存在するか否かの判断が行われる。１つまたは複数のエラーがコントローラ１０８によって検出された場合には、処理はＳ６１４に進み、ユーザ装置１１４のユーザに、本技術分野において知られている任意の適切な手段を介して、エラーが通知される。例えば、エラー・メッセージは、ドキュメント処理装置１０４によって生成され、コンピュータ・ネットワーク１０２を介して、ユーザ装置１１４に返され、検出されたエラーの性質を示すことができる。Ｓ６１４における処理が完了すると、本実施形態における処理は終了する。
【００５８】
Ｓ６１２において、解析されたスクリプト記述コマンド内にエラーが存在しないと判断されると、処理はＳ６１６に進む。Ｓ６１６においては、解析されたスクリプト記述コマンドのうちのいずれかが設定コマンドに対応するか否かの判断が行われる。すなわち、スクリプト記述されたコマンドが、ドキュメント処理装置１０４の設定に対する変更、更新または修正等に対応する設定データを含むか否かの判断が行われる。その種の設定データには、例えば、ネットワーク設定、無線設定およびドキュメント処理動作の設定等に関するスクリプト記述コマンドがある。Ｓ６１６において肯定的な判断がなされた場合、すなわち、スクリプト記述コマンドが設定データを含むという判断が行われた場合、処理はＳ６１８に進み、コントローラ１０８またはドキュメント処理装置１０４に関連するその他の適切なコンポーネントは、設定データをドキュメント処理装置１０４に実装する。
【００５９】
Ｓ６１８において設定データの実装が完了した後、またはＳ６１６において設定データを含むスクリプト記述コマンドが受信された電子ドキュメント内には存在しないと判断されると、処理はＳ６２０に進む。Ｓ６２０においては、コントローラ１０８またはドキュメント処理装置１０４に関連するその他の適切なコンポーネントによって、受信された電子ドキュメントがテンプレート作成に対応するスクリプト記述されたコマンドを含むか否かの判断が行われる。その種のテンプレート作成コマンドは、例えば、ドキュメント処理装置１０４によって実行される画像走査動作に対応する画像走査テンプレート作成コマンドを含む。Ｓ６２０における肯定的な判断、すなわち、受信された電子ドキュメントがテンプレート作成に対応するスクリプト記述されたコマンドを含む旨の判断は、コントローラ１０８またはドキュメント処理装置１０４に関連するその他の適切なコンポーネントが、Ｓ６２２において、受信された電子ドキュメントから解析された対応するスクリプト記述コマンドにしたがってテンプレートを作成することを促す。次にＳ６２４において、Ｓ６２２で作成されたテンプレートは、以降のドキュメント処理装置１０４による使用のために、ドキュメント処理装置１０４に関連するデータ記憶装置１１０に保存される。
【００６０】
新たに作成されたテンプレートのＳ６２４における保存の後、またはＳ６２０においてテンプレート作成コマンドが受信された電子ドキュメント内に存在しない旨の判断があると、処理はＳ６２６に進む。Ｓ６２６においては、解析されたスクリプト記述コマンドがドキュメント処理要求に対応するか否かの判断が行われる。すなわち、スクリプト記述コマンドが、ドキュメント管理サーバ１１８からの１つまたは複数の電子ドキュメントの検索および取得、およびその後に続く対応する、例えば印刷、コピー、光学文字認識、ファクシミリ送信および電子メール送信等のドキュメント処理動作の実行に対応するか否かの判断が行われる。Ｓ６２６において否定的な判断、すなわち解析されたスクリプト記述コマンドがドキュメント処理要求に対応しない旨の判断が行われると、処理は終了する。
【００６１】
Ｓ６２６において肯定的な判断、すなわち解析されたスクリプト記述コマンドがドキュメント処理要求に対応する旨の判断が行われると、処理はＳ６２８に進み、電子ドキュメントから解析されたスクリプト記述コマンドにしたがって検索基準が特定される。検索基準には、例えば、著者、キーワード、修正日およびグループ等が含まれる。解析されたスクリプト記述コマンドから特定された検索基準は、次にＳ６３０において、コンピュータ・ネットワーク１０２を介して、ドキュメント管理サーバ１１８に伝達される。次にＳ６３２で、ドキュメント管理サーバ１１８は、受信した検索基準と、データ記憶装置１２０に保存されている電子ドキュメントとを比較する。
【００６２】
次にＳ６３４において、検索基準に基づいた比較結果にしたがって、１つまたは複数の電子ドキュメントが、ドキュメント管理サーバ１１８によってデータ記憶装置１２０から取得される。次いでＳ６３６において、ドキュメント管理サーバ１１８は、取得した電子ドキュメントを、コンピュータ・ネットワーク１０２を介して、ドキュメント処理装置１０４に伝達する。Ｓ６３８において、ドキュメント処理装置１０４は、取得された電子ドキュメントをドキュメント管理サーバ１１８から受信する。次にＳ６４０において、コントローラ１０８またはドキュメント処理装置１０４に関連するその他の適切なコンポーネントは、受信されたそれぞれの電子ドキュメントのための少なくとも１つのドキュメント処理動作を、解析されたスクリプト記述コマンドにしたがって特定する。次いでＳ６４２において、ドキュメント処理装置１０４は、取得されたそれぞれの電子ドキュメントに対して、特定されたドキュメント処理動作を実行する。
【００６３】
本発明は、ソース・コード、オブジェクト・コード、部分的にコンパイルされた形のようなコード中間ソースおよびオブジェクト・コードの形、あるいは本発明の実施形態で使用するために適した任意の他の形のコンピュータ・プログラムをも含む。コンピュータ・プログラムは、スタンドアローンのアプリケーション、ソフトウェア・コンポーネント、スクリプトまたは他のアプリケーションへのプラグ・インとすることができる。本発明を実施するコンピュータ・プログラムは、例えば、ＲＯＭやＲＡＭ等の記憶媒体、ＣＤ−ＲＯＭ等の光記録媒体、フロッピー（登録商標）ディスク等の磁気記録媒体等の、コンピュータ・プログラムを伝達することができる任意の実体または装置である担体上で具体化することができ、あるいは電気ケーブルまたは光ケーブルによって、または無線や他の手段によって伝えられる電気信号や光信号等の任意の担体によって伝達することができる。コンピュータ・プログラムは、サーバからインターネットを介してダウンロードすることもできる。また、コンピュータ・プログラムの機能は集積回路に組み込むこともできる。説明を行った本発明の原理を実質的にコンピュータまたはプロセッサに実行させるコードを含む任意およびすべての実施形態は、本発明の範囲内にある。
【００６４】
本発明の好ましい実施形態の以上の説明は、例示と説明のために行った。説明は網羅的ではなく、本発明を開示した形態に限定しようとするものでもない。以上の開示を鑑みて明らかな修正または変形が可能である。例えば、本発明による実施形態の説明に記したシステムおよび方法は、通信、一般コンピューティング、データ処理等を含む、スクリプト言語で記述されるコマンドを用いる複数の様々な電子工学分野に対しても適用可能であり、本発明がドキュメント処理分野への適用に限定されるものではない。実施形態は、本発明の原理とその実際的な応用例を最もよく示し、それにより当業者が、本発明を、意図された特定の使用に適した様々な実施形態において様々な修正で使用できるように選択され説明された。そのようなすべての修正と変形は、特許請求の範囲の記載に明示されるとおりの本発明の原理および範囲内において、当業者によって行われ得ることは明らかであり、特許請求の範囲の記載によって定められる本発明の範囲内にある。
【図面の簡単な説明】
【００６５】
【図１】本発明による実施形態が適用されるスクリプト言語ベースのドキュメント処理システム全体の構成例である。
【図２】本発明による実施形態のシステムの動作が実行されるコントローラのハードウェアの構成例を説明するための図である。
【図３】本発明による実施形態のシステムの動作が実行されるコントローラの機能ブロックの構成例を説明するための図である。
【図４】本発明による実施形態のシステムの動作が実行されるワークステーションのハードウェアの構成例である。
【図５】本発明による実施形態におけるスクリプト言語ベースのドキュメント処理の基本的な動作例を表すフローチャートである。
【図６】本発明による実施形態における、スクリプト言語ベースのドキュメント処理の動作例を詳細に表したフローチャートである。
【符号の説明】
【００６６】
１００  システム
１０２  コンピュータ・ネットワーク、分散通信システム
１０４  ドキュメント処理装置、ＭＦＰ
１０６  ユーザ・インターフェイス
１０８  コントローラ
１１０、１２０  データ記憶装置
１１２、１１６、１２２  通信リンク
１１４  ユーザ装置
１１８  ドキュメント管理サーバ
２００  コントローラ
２０２、４０２  プロセッサ
２０４、４０４  読み出し専用メモリ、ＲＯＭ
２０６、４０６  ＲＡＭ
２０８、４１０  ストレージ・インターフェイス
２１０、４１２  ネットワーク・インターフェイス・サブシステム
２１２、４１４  バス
２１４、４２０  ネットワーク・インターフェイス・カード
２１６、４１８  ディスク・ドライブ
２１８、４３０  無線インターフェイス
２２０、４３２  物理的ネットワーク
２２２  ドキュメント・プロセッサ・インターフェイス
２２４  コピー・ハードウェア
２２６  画像走査ハードウェア
２２８  印刷ハードウェア
２３０  ファクシミリ・ハードウェア
２３２  ドキュメント処理ハードウェア
３０２  ドキュメント処理エンジン
３０４  印刷機能部
３０６  ファクシミリ通信機能部
３０８  画像走査機能部
３１０  ユーザ・インターフェイス・パネル
３１２  ジョブ・キュー
３１４  ネットワーク・サービス機能部
３１６  画像プロセッサ
３１８  ジョブ解析部
３２０  クライアント側ネットワーク・サービス機能
４００  ワークステーション
４０８  表示インターフェイス
４１６  入出力インターフェイス
４２２  入力装置、キーボード
４２４  周辺装置インターフェイス
４２６  ポインティング・デバイス・インターフェイス
４２８  表示モニタ
【図１】
2009184349.tif 000004
【図２】
2009184349.tif 000005
【図３】
2009184349.tif 000006
【図４】
2009184349.tif 000007
【図５】
2009184349.tif 000008
【図６】
2009184349.tif 000009